Podtech/llm-jp-corpus-v4-ja_patent huggingface dataset:
(57)【要約】【課題】  本発明は、映画鑑賞、観劇、読書等において、流した涙を吸収して、鑑賞に集中できると共に、女性の化粧くずれを最小限に抑えることが出来る、涙吸収計測マスクを提供する。【解決手段】  涙を吸収する素材で、左右は両頬を、上下は下瞼から鼻の先端近くまでを覆い、左右には耳に掛ける紐を設け、流した涙を下瞼部の当マスクで吸収し、マスク上に設けた目盛により、流した涙の量を知る事が出来ると共に、表面に薄いフィルムを設けて涙の蒸発を防ぐことを特徴とする涙吸収計測マスク。【選択図】図１
2010284483.tif 000002
【特許請求の範囲】
【請求項１】
水分を吸収する素材で、左右は両頬を、上下は下瞼から鼻の先端近くまでを覆うようにマスクを形成し、マスクの一部に目盛を設け、左右に耳に掛ける紐を設け、流した涙を下瞼部の当マスクで吸収し、マスク上に設けた目盛により、流した涙の量を知る事が出来ると共に、表面に薄いフィルムを設けて涙の蒸発を防ぐように構成したことを特徴とする涙吸収計測マスク。
【発明の詳細な説明】
【技術分野】
【０００１】本発明は、映画鑑賞、観劇、読書等において、流した涙を吸収して、鑑賞に集中できると共に、女性の化粧くずれを最小限に抑えることが出来る、涙吸収計測マスクに関するものである。
【背景技術】
【０００２】従来は、ハンカチ、ティッシュ等により涙を拭うために、映画等の画面に集中できず、字幕の場合には、見落としをする事も多かった。
涙を拭うことによる、化粧くずれが生じやすく、映画、観劇、読書等の鑑賞後の化粧直しに時間を費やす事となった。
【先行技術文献】
【０００３】
【特許文献１】
【非特許文献１】
【発明の概要】
【発明が解決しようとする課題】
【０００４】  従来より、次のような問題点があった。
（イ）映画、観劇、読書等の鑑賞中に流した涙を、ハンカチ、ティッシュ等により拭う事は、同時に顔面も拭く事になるため、化粧くずれが生じやすく、これらの鑑賞後の化粧直しに、時間を費やす事が多かった。
（ロ）涙を拭う動作により、鑑賞に集中出来ず、特に字幕の場合には、見落としする事となった。
（ハ）ハンカチ、ティッシュ等で拭い損ねた涙は、衣服を濡らし、シミを生じる事となった。
本発明は以上の問題点を解決しようとするものである。
【課題を解決するための手段】
【０００５】上記問題点を解決するため本発明は、水分を吸収する素材で、左右は両頬を、上下は下瞼から鼻の先端近くまでを覆うようにマスクを形成し、マスクの一部に目盛を設け、左右に耳に掛ける紐を設ける。
流した涙を下瞼部の当マスクで吸収し、マスク上に設けた目盛により、流した涙の量を知る事が出来ると共に、表面に薄いフィルムを設けて涙の蒸発を防ぐように構成したことを特徴とする涙吸収計測マスクである。
【発明の効果】
【０００６】流した涙を拭うことなく、マスクに吸収させるため、映画等の画面に集中出来、特に洋画の場合での字幕の見落としを減らすことが可能である。
化粧くずれを最小限に抑えられることで、映画、観劇、読書等鑑賞後の化粧直しの時間を減らすことが出来ると共に、化粧品の出費も抑える事が可能である。
流した涙の量を知る事が出来るために、仲間、友人同士での話題づくりに役立つことが可能である。
【図面の簡単な説明】
【０００７】
【図１】本発明の斜視図
【図２】本発明の断面図
【図３】本発明にＰＨ試験紙を設けた斜視図
【図４】本発明にＰＨ試験紙を設けた断面図
【発明を実施するための形態】
【０００８】以下、本発明の実施の形態を説明する。
（イ）厚手の水分吸収体（１）にマスクを耳に掛ける紐（２）を設ける。
（ロ）左右の頬部分に縦方向に目盛（３）を設ける。
（ハ）吸収体の表面に薄いフィルム（５）を設ける。
本発明は、以上の構成よりなっている。
本発明を使用するときは、目盛のゼロ側を上にして、両耳に紐（２）を掛ける。
下瞼にマスクを密着させるため、マスク上部に折り曲げ自在の線材（４）を設け、下瞼とマスクの間隙がないように押す。
映画、観劇、読書等の鑑賞後にマスクを外して、涙により変色した部分の目盛を読み取る。
【実施例１】
【０００９】水分吸収体の一部にＰＨ試験紙を設け、流した涙のＰＨ値を知り、体調を把握する事が出来る。
【符号の説明】
【００１０】    １  水分吸収体
２  紐
３  目盛
４  線材
５  フィルム
６  ＰＨ試験紙
【図１】
2010284483.tif 000003
【図２】
2010284483.tif 000004
【図３】
2010284483.tif 000005
【図４】
2010284483.tif 000006
(57)【要約】【課題】お勝手で使うスポンジたわし入れは流しに平らに付けた入れ物にタイラにそのまま乗せておくもので水分が充分取れないものである。【解決手段】スポンジの水分を素早く取るようにスポンジの重力の中心が真下になるようにスポンジの対角線の延長が真下になるようにまた第２発明はスポンジ入れが流しの茶碗洗いの作業の邪魔にならないように蛇口につるすことを特徴とする【選択図】図１
2010284489.tif 000002
【特許請求の範囲】
【請求項１】
台所で茶碗等を洗うときに使うスポンジの水分を素早くとる為にスポンジの水分が重力の中心に向かって落ちるようにスポンジを対角線が真下になるように斜めに入れるようにしたことを特徴とする入れ物を作る
【請求項２】
プラスチック等で作った入れ物が重力の中心が真下になるように水道の蛇口につるすことが出来るように対角線上に穴をあけ紐を付けたことを特徴とする入れ物
【発明の詳細な説明】
【技術分野】
【背景技術】
【０００１】従来のスポンジたわし入れは流しに平らに付けた入れ物にスポンジたわしをタイラにそのまま入れるものである。
【発明の開示】
【発明が解決しようとする課題】
【０００２】しかしながら以上の技術によればスポンジたわしの水分は十分に取れず雑菌が残ってしまう可能性が多い
そこでこの発明はスポンジたわしの水分を素早く取り除き雑菌を残さないようにする入れ物を提供することを課題とする。
【課題を解決するための手段】
【０００３】以上の課題を解決するために第１発明はスポンジの水分を素早くとるように重力の中心が真下になるように対角線の延長が真下になることを特徴とするスポンジ入れである。また第２発明はスポンジ入れが流しの茶碗洗いの作業に邪魔にならないよういつも効率よく水分がはけるように蛇口につるすことを特徴とするスポンジたわし入れである
【発明の効果】重力の中心へ水が集まるように斜めにつるすとすばやくスポンジたわしの水分がなくなり雑菌の繁殖を防ぐことにつながる。
蛇口へつるすことによりお勝手仕事の妨げにはならない。
【発明を実施するための最良の形態】重力の中心へ水分が集まるように斜めにスポンジを置けるようにした入れ物をつるす
【図面の簡単な説明】
【図１】長方形のスポンジタワシをＡｏｒＢの空いている部分から入れる
【図２】蛇口につるした様子  つるした時中のスポンジタワシが斜めになっていること
【図１】
2010284489.tif 000003
【図２】
2010284489.tif 000004
(57)【要約】【課題】  コインやアクセサリーなどの小物類を誤って吸引することなく、小物類とゴミ埃が混在する場所を掃除できる掃除機用ノズルを提供する。【解決手段】  ノズルの先端を網状にする。そしてこのノズルを掃除機の吸引用ホース先端に取り付ける。以上を特徴とする掃除機用ノズルである。【選択図】図１
2010284486.tif 000002
【特許請求の範囲】
【請求項１】
ノズルの先端を網状に形成したことを特徴とする掃除機用ノズル。
【発明の詳細な説明】
【技術分野】
【０００１】  本発明は、掃除機使用中にノズル先端から、誤ってコインやアクセサリーなどの小物類が吸い込まれるのを防止した、掃除機用ノズルに関するものである。
【背景技術】
【０００２】  従来、掃除機の吸引ホース先端に取付けられたノズルは，先端部が解放されており、コインやアクセサリーなどの小物類とゴミや埃が混在する場所を掃除機で吸引掃除する場合、ゴミや埃と一緒にコインやアクセサリーなどの小物類も一緒に吸い込んでしまった。
【発明の開示】
【発明が解決しようとする課題】
【０００３】    そのために、次のような問題点が有った。
本来掃除機に吸い込まれては困るコインやアクセサリーなどの小物類が、ゴミや埃と一緒に掃除機内に吸い込まれ紛失してしまう。また吸い込まれた小物類を回収するため、掃除機内のダストボックスを取りだし、その中から吸い込まれた小物類を取り出すのに手間がかかるし、小物類および手が汚れてしまう。
本発明は、以上の問題点を解決するためになされたものである。
【課題を解決するための手段】
【０００４】ノズルの先端を網状にする。そしてこのノズルを掃除機の吸引用ホース先端に取り付ける。
以上を特徴とする掃除機用ノズルである。
【発明の効果】
【０００５】  本発明を使用することによって、ノズル先端の網状の網目や穴より小さなゴミや埃は、ノズル先端から掃除機内に吸引されるが、網目や穴より大きな小物は、網状により掃除機内に吸い込まれることは無い。従って誤って吸い込まれた小物類を取り出す手間がかからず、小物類および手が汚れてしまうことが無い。
【発明を実施するための最良の形態】
【０００６】  以下、本発明の実施の形態を説明する。
ノズル（１）先端部を、網状（２）にする。
本発明は以上のような構成で、これを使用する時は、上記掃除機用ノズルを、掃除機の吸引用ホース先端に取り付ける。誤って掃除機内に吸引すると困るコインやアクセサリーなどの小物類と、ゴミや埃が混在する場所を掃除機で吸引掃除する。網状（２）の網目や穴より小さなゴミや埃は、掃除機内に吸引されるが、網状（２）の網目や穴より大きな小物は、網状（２）により通路を遮られ掃除機内に吸い込まれることは無い。従って誤って吸い込まれた小物類を取り出す手間がかからず、小物類および手が汚れてしまうことが無い。
【図面の簡単な説明】
【０００７】
【図１】本発明の斜視図
【図２】本発明の使用状態を示す斜視図
【符号の説明】
【０００８】１  ノズル
２  網状
【図１】
2010284486.tif 000003
【図２】
2010284486.tif 000004
(57)【要約】      （修正有）【課題】お茶を飲む時、コップの中へ直接茶葉を入れ飲む場合、ふやけたお茶の葉が口の中へお湯といっしょに入り込むことをなくす。また、コーヒーではドリップと同時にコーヒーが飲めるようにする。【解決手段】コップの内側に茶葉を漉すための網を取り付ける。また、コーヒーカップでは上部にペーパーフィルターを固定するようにし、ドリップするための用紙を支えるための横棒を取り付けた。【選択図】図３
2010284495.tif 000002
【特許請求の範囲】
【請求項１】
茶わん、コーヒーカップでも同じであるが、お湯を飲む用器の内側、口をつけた側から
2010284495.tif 000009
ための網を取り付ける。お茶の湯だけが口に流し込むように。
【請求項２】
コーヒーカップ専用になり、カップの内側の上部のまん中にコーヒーの粉をドリップするため、断面をＶの字形の横棒を通し中間にひとつ穴をあけて、そのフィルターが止まるようにそこで支えるひっかかりをつける。穴はひとつにはこだわらない。下にコーヒーが落ちればいい。
【発明の詳細な説明】
【技術分野】
【０００１】  本発明は、湯のみ茶わんの中に直接お茶の葉を入れ、急須を使わないでもお茶を漉せるようにしたもの。
【背景技術】
【０００２】  だいたい茶わんとは手で洗うために内側には突起物はないようにすべすべに作るものである。
しかし、やっと最近コップや茶わんの少し少さめの穴のあいたコップを中に入れて茶を漉すようになった。
【発明の概要】
【発明が解決しようとする課題】
【０００３】○茶わんに茶を入れて飲めるが、茶葉がお湯といっしょに口の中に入り込んでしまう。
○茶の中に入れる用器が不便である。
○中国ではウーロン茶を飲むときふたで茶葉を口の中に入らないようにずらして止めている。
【課題を解決するための手段】
【０００４】  茶わんで飲むときに口をつける縁の少し下側の場所に茶葉を受け止めるための穴のあいた直径
2010284495.tif 000003
が入るようにした。
【発明の効果】
【０００５】○お茶を飲むときいちいち急須に入れなくてもいい
○紅茶もティーパックを買わずに茶葉そのものから入れられるようになった。
【図面の簡単な説明】
【０００６】
【図１】  本発明の上から見た図である
【図２】  本発明の縦に切った断面図である
【図３】  本発明の全体を立体的に見た図である。
【図４】
2010284495.tif 000004
【発明を実施するための形態】
【０００７】
2010284495.tif 000005
をステンレスの網に取り変えるのもいい。細かな茶葉も漉せる。
○コップ内側の凸部の網状部分の
2010284495.tif 000006
ふやけているので１、５ｃｍぐらいでもその機能は十分に果せる。
2010284495.tif 000007
紙をのせられるようにすればコーヒーも飲める。
2010284495.tif 000008
ささえるための断面をＶの字形の横棒を通しひとつ穴をあけるものに変えるとベストのコーヒードリップカップになる。（図４）
【図１】
2010284495.tif 000010
【図２】
2010284495.tif 000011
【図３】
2010284495.tif 000012
【図４】
2010284495.tif 000013
(57)【要約】      （修正有）【課題】これまで家庭のナベで玉子焼きを作ろうとしても溶き卵が液体であることから人手によりナベとヘラを手に持って卵をくるくると巻いて作っていたが、うまく作るには慣れが必要で大変であり、玉子焼きを作っている間はその作業に専念せねばならず、同時に他のものを作ったりする余裕がなかった。【解決手段】非粘着性ナベ１０の中に耐熱性のヘラ１１をナベ１０と隙間無く設置し、ゼンマイ８により回転させ玉子焼きを作る。【選択図】図１
2010284491.tif 000002
【特許請求の範囲】
【請求項１】
非粘着性ナベの中にゼンマイにより回転する耐熱性のヘラをナベと隙間無く設置することで、液体状態の溶き卵をしっかり捉えて、玉子焼きを作る玉子焼き調理ナベ
【発明の詳細な説明】
【技術分野】
【０００１】  本発明は非粘着性ナベの中の耐熱性のヘラをナベと隙間無く設置し、ヘラを回転させることで液体状態の溶き卵をしっかり捉えて、玉子焼きを作る玉子焼き調理ナベに関する。
【背景技術】
【０００２】  従来から卵をすくって重ね、玉子焼きを作る機械があった。それは、家庭用ナベでゼンマイによりヘラを回転させるだけで手軽に玉子焼きを作っていくものではなく、すくって重ねる大掛かりなものであった。（特許文献１）
また、ナベを振る装置があったが、液体状態の溶き卵から振って玉子焼き作るものではなく、ヘラを回転して作るのと異なる方式のものがあった。（特許文献２）
また、ドラムの中で食材を上昇と落下を繰り返し、混ぜるものがあったが液体状態の溶き卵を捉えて玉子焼きを作るものではないものがあった。（特許文献３）
また、回転させて混ぜるものがあったが、攪拌羽根の形状と回転方向と攪拌という意図から、かき混ぜてばらばらにするには適するが、玉子焼きを作る用途のものではないものがあった。（特許文献４）
また、ポップコーンを作る機械があったが、ブラシを回転させポップコーンを攪拌させるだけで、液体状態の溶き卵で玉子焼きを作ることはできないものがあった。（特許文献５）
【特許文献１】  特開２００９−１０６７３５号公報
【特許文献２】  特開２００７−３０１３３７号公報
【特許文献３】  特開２００１−２９２９１４号公報
【特許文献４】  特開２０００−２５３９９３号公報
【特許文献５】  特開Ｈ１０−３１３８４４号公報
【発明の開示】
【発明が解決しようとする課題】
【０００３】  これまで家庭のナベで玉子焼きを作ろうとしても溶き卵が液体であることから人手によりナベとヘラを手に持って卵をくるくると巻いて作っていた。これは、うまく作るには慣れが必要で大変であり、玉子焼きを作っている間はその作業に専念せねばならず、同時に他のものを作ったりする余裕がなかった。
【課題を解決するための手段】
【０００４】  本発明は非粘着性ナベ（図１の１０）（図２の１０）の中の耐熱性のヘラ（図１の１１）（図２の１２）（図３）（図４）をナベと隙間無く設置し、ゼンマイ（図１の８）（図２の８）により回転させるだけで玉子焼きを作ることができる。
【発明の効果】
【０００５】  本発明は非粘着性ナベ（図１の１０）（図２の１０）の中の耐熱性のヘラ（図１の１１）（図２の１２）（図３）（図４）をナベと隙間無く設置し回転させることで卵が固まっていない部分が前方に薄く流れ加熱され、その固まる直前のものが固まったものと一体となってまとめられていくことで卵焼きを作ることができる。また、ヘラ形状が複数のもの（図５）を使って、複数の場所で調理することで、玉子焼きといり卵等の複数の料理を同時に作る事ができ、調理の余裕が生まれる。
【発明を実施するための最良の形態】
【０００６】  非粘着性ナベ（図１の１０）（図２の１０）に回転する耐熱性のヘラを取り付けギア（図１の４）（図２の４）を介しゼンマイ（図１の８）（図２の８）で回転させる。ヘラは鍋蓋（図１の１）に軸（図１の９）で取り付けるヘラ（図１の１１）（図３）と、ナベの周囲に沿う支持体により取り付けるヘラ（図２の１２）（図４）がある。ヘラは磁石（図１の３）（図２の３）のついたヘラ保持部（図１の２）（図２の２）で分離することができ、洗浄が簡単にでき、ヘラの形状が垂直なもの下が反っているもの（図６）上が反っているもの（図７）やヘラの枚数が複数（図５）のものと変えることができる。ゼンマイ巻きつまみ（図１の７）でゼンマイを巻くか、ゴムローラー（図２の１３）の付いたヘラ保持部でゼンマイを巻いたものはゼンマイが小さくなるが、調理ができると、ゼンマイが広がることで、ベル（図１の６）（図２の６）を押しやり回転しているギアと共に回転しているベル打ち部（図１の５）（図２の５）によってたたかれ、音で知らせることができる。
【図面の簡単な説明】
【０００７】
【図１】  玉子焼き調理ナベ（軸型）の構成図
【図２】  玉子焼き調理ナベ（支持体型）の構成図
【図３】  ヘラ（軸型）の構成図
【図４】  ヘラ（支持体型）の構成図
【図５】  ヘラ形状（複数枚）の構成図
【図６】  ヘラ形状（下反り）の構成図
【図７】  ヘラ形状（上反り）の構成図
【符号の説明】
【０００８】  １    ナベ蓋
２    ヘラ保持部
３    磁石
４    ギア
５    ベル打ち部
６    ベル
７    ゼンマイ巻きつまみ
８    ゼンマイ
９    軸
１０  ナベ
１１  ヘラ（軸型）
１２  ヘラ（支持体型）
１３  ゴムローラー
【図１】
2010284491.tif 000003
【図２】
2010284491.tif 000004
【図３】
2010284491.tif 000005
【図４】
2010284491.tif 000006
【図５】
2010284491.tif 000007
【図６】
2010284491.tif 000008
【図７】
2010284491.tif 000009
(57)【要約】【課題】コマの取り方に運を取り入れた、将棋的運ゲーム、そのコマの取り方の方法を提供する。【解決手段】自分のコマを相手のコマと接触させ、自分のコマをひっくり返した場合、相手のコマが取れるコマと、逆に自分のコマを捨てなければならないコマを設け、コマの取り方を特徴とした将棋的運ゲーム、そのコマの取り方の方法である。【選択図】図１
2010284496.tif 000002
【特許請求の範囲】
【請求項１】
自分のコマを相手のコマと接触させ、自分のコマをひっくり返した場合、相手のコマが取れるコマと逆に自分のコマを捨てなければならないコマを設け、コマの取り方を特徴とした将棋的運ゲーム、そのコマの取り方の方法。
【発明の詳細な説明】
【技術分野】
【０００１】本発明は、コマの取り方に運を取り入れた将棋的運ゲーム、そのコマの取り方の方法に関するものである。
【背景技術】
【０００２】従来、将棋のようにそれぞれのコマの動きでもって、いかに詰めるかというゲームはあった。
【発明の開示】
【発明が解決しようとする課題】
【０００３】そのために次のような問題点があった。
（イ）論理的思考だけのゲームはレベルが上がると対局は長時間にも及んだ。
（ロ）論理的思考だけのゲームは強者と弱者の差が顕著に現れた。
本発明はこれらの問題点を解決するためになされたものである。
【課題を解決するための手段】
【０００４】コマの取り方において、相手のコマと接触させひっくり返し、相手のコマが取れるコマと自分のコマを捨てなければならないコマを設けた。以上を特徴とする将棋的運ゲーム、そのコマの取り方の方法である。
【発明の効果】
【０００５】運が加わるため、娯楽性が強まりゲーム展間も多様となった。そして強者と弱者の差が少なくなった上、短時間での決着が可能となった。
【発明を実施するための最良の形態】
【０００６】コマの表Ａ（１８個）、そのＡの裏にＦ（９個）とＤ（９個）、コマの表Ｑ（２個）、そのＱの裏にＺ（１個）とＤ（１個）、コマの表Ｊ（２個）、そのＪの裏にＷ（１個）とＤ（１個）、コマの表Ｋ（２個）のコマとマス目盤（９マス×９マス）を設ける。
本発明は以上のような構成でこれらを使用する時は、コマを一度シャッフルし、コマの並べ方、それぞれのコマの動かし方に従い、図１のようにあるいはそれぞれのコマの取り方に従い、相手のＫを先に取ることを目的としたゲームを展開する。
【図面の簡単な説明】
【０００７】
【図１】本発明の工程図
【符号の説明】
【０００８】１  コマ
２  マス目盤
【図１】
2010284496.tif 000003
(57)【要約】【課題】  本発明は、使い勝手がよく他と差別化の図られた下敷を提供することにある。【解決手段】  径の異なる複数種類のおねじ５が各々に丁度入るねじ径測定孔２ａ〜２ｄを外周部に並べて設けてあり、且つ各々のねじ径測定孔２ａ〜２ｄの近傍には孔径に対応するねじ径が記してあることを特徴とする。【選択図】      図１
2010284806.tif 000002
【特許請求の範囲】
【請求項１】
径の異なる複数種類のおねじが各々に丁度入るネジ径測定孔を外周部に並べて設けてあり、且つ各々のネジ径測定孔の近傍には孔径に対応するねじ径が記してあることを特徴とする下敷。
【請求項２】
ねじ径測定孔は、上端部または下端部に設けてあることを特徴とする請求項１記載の下敷。
【請求項３】
ねじ径測定孔は、コーナー部に設けてあることを特徴とする請求項１記載の下敷。
【発明の詳細な説明】
【技術分野】
【０００１】
本発明は、筆記するときに一面側に紙を置いて使用する下敷に関するものである。
【背景技術】
【０００２】
下敷は、一般に硬質ポリ塩化ビニルや厚紙などで成形してあり、近年では環境問題への関心の高まりから、ポリプロピレンやポリエチレンテレフタラートを使用するものも提供されている。また、寸法については、一般的な大学ノートに対応したＢ５判（182mm×257mm）サイズのものが普及しており、さらに、下敷の表面または裏面を紙（コート紙）に印刷を施し、表面をポリ塩化ビニルで覆うものもある。
【発明の概要】
【発明が解決しようとする課題】
【０００３】
下敷は、前述のように印刷や表示に適した形態をなすと共に、安価で大量に製造できるものであるから、自社商品を印刷するなどして顧客を対象に販促用の商品として配布されることが多い。しかしながら、手軽に製造配布ができる半面、他と差別化を図るための工夫が必要であった。本発明は、上記課題を鑑みてなされたものであり、使い勝手がよく他と差別化の図られた下敷を提供することにある。
【課題を解決するための手段】
【０００４】
本発明のうち請求項１記載の発明は、径の異なる複数種類のおねじが各々に丁度入るネジ径測定孔を外周部に並べて設けてあり、且つ各々のネジ径測定孔の近傍には孔径に対応するねじ径が記してあることを特徴とする。
【０００５】
本発明のうち請求項２記載の発明では、ねじ径測定孔は、上端部または下端部に設けてあることを特徴とする。
【０００６】
本発明のうち請求項３記載の発明では、ねじ径測定孔は、コーナー部に設けてあることを特徴とする。
【発明の効果】
【０００７】
本発明のうち請求項１記載の発明によれば、施工現場などで手に取ったおねじの径を知りたいときに、下敷のねじ径測定孔の何れかにおねじを差し込めば、おねじのねじ径を容易に知ることができ、このことから、本来の機能に加えて他と差別化の図られた付加価値の高い下敷を提供できる。
【０００８】
本発明のうち請求項２および３記載の発明によれば、上下端部もしくはコーナー部に設けることで、ねじ径測定孔が筆記の妨げにならない箇所に設けられるので、一層使い勝手のよい下敷が提供できる。
【図面の簡単な説明】
【０００９】
【図１】本実施による下敷の平面図である。
【図２（ａ）（ｂ）】（ａ）（ｂ）は、本実施による下敷の使用状態を示す斜視図である。
【発明を実施するための形態】
【００１０】
以下に、図面に基づいて本実施による下敷の実施の形態を説明する。
本実施による下敷は、図１のように、短辺と長辺とからなる角丸縦長矩形状のシート状に硬質樹脂製で成形されたものである。そして、下敷１の一面側には、配布者側が販売する製品写真や、その製品の価格などの表示物３が印刷されている。また、下敷１の図示上端右側のコーナー部には、円形のねじ径測定孔２ａ〜２ｄが下敷１の短辺方向に間隔をあけて配置してある。本実施のものでは、径の相違するメートルねじを測定するために、図示左側からＭ８（８ｍｍ径）、Ｍ６（６ｍｍ径）、Ｍ５（５ｍｍ径）、Ｍ４（４ｍｍ径）の孔径のものが横一列に間隔をあけて配置してあり、すべてのねじ径測定孔２ａ〜２ｄの下側に各々、ねじ径の大きさを示す「Ｍ８」、「Ｍ６」、「Ｍ５」、「Ｍ４」という文字４が印刷してある。
【００１１】
本実施による下敷１の使用の一例として、図２（ａ）（ｂ）に示すように、下敷１の使用者がサッシの枠組みなどを行って建築現場で調達したおねじ５の径を知りたいときに、手に取ったおねじ５を下敷１の適当なねじ径測定孔２ａ〜２ｄに差し込み、図２（ａ）のように、最初に差し込んだねじ孔測定孔２ｄが入らなければ、図２（ｂ）のように、他のねじ径測定孔２ｃに差し替え、そこでおねじ５が丁度入る、つまりは、おねじ５がガタツキなく且つスムーズに挿入されれば、該当のねじ径測定孔２ａ〜２ｄの近くに印刷された文字４がおねじ５のねじ径として測定できる。これにより、ねじ径が１ｍｍないし２ｍｍと僅かに違うおねじ５であっても簡単に判別できるようになる。
【００１２】
本発明の下敷１は、下敷１にねじ径測定孔２ａ〜２ｄを設ける位置について、ねじ径測定孔２ａ〜２ｄが設けてあることにより筆記の妨げになるような箇所でなければ、下敷１の外周部の何れかの箇所、もしくは下敷１の上端または下端などに設けてあってもよい。また、下敷１の大きさは、用紙の裏面側に敷いて筆記作業を円滑に行えるという下敷１本来の使用ができるものであれば、上記実施形態のものの寸法や材質に限定されるものではない。また、ねじ径測定孔２ａ〜２ｄを設ける数や大きさについても自由に設定できるが、あきらかに径の違うものは目視で判断できるため、おねじ５の僅かな径の違いを判別できるように孔径の近いものを並べて配置することが望ましい。
【符号の説明】
【００１３】
１  下敷
２ａ〜２ｄ  ねじ径測定孔
３  表示物
４  文字
５  おねじ
【図１】
2010284806.tif 000003
【図２（ａ）（ｂ）】
2010284806.tif 000004
(57)【要約】      （修正有）【課題】煙突からの煙を綺麗にして、塵の焼却炉を町中でも使用できるようにする。【解決手段】空気を綺麗にして温暖を防ぐため、煙突の上から１ｍの所に水の鉄管に穴をあけ、２０ｃｍぐらいの傾斜に煙突の中に回し、上から１ｍ５０ｃｍの所に半月板の鉄板を吊り下げ、２ｍ５０ｃｍの所に反対側に鉄板を吊って水を受け止め、下の段のトヨから煙突を漉した水を外に出し、下でドラム缶で受け取る。外を下るトヨには内側に布張り、汚れた時ははがして新しい布を張る。水道水は大きなポンプで水を送り、鉄管には小さい穴を設けておく。【選択図】図１
2010190560.tif 000002
【特許請求の範囲】
【発明の詳細な説明】
2010190560.tif 000003
2010190560.tif 000004
2010190560.tif 000005
【手続補正書】
【提出日】平成21年6月26日(2009.6.26)
【手続補正２】
【補正対象書類名】明細書
【補正対象項目名】全文
【補正方法】変更
【補正の内容】
【発明の詳細な説明】
【技術分野】
【０００１】煙突の煙を洗えば、町中でも大きな煙突を作って使うことが出来る。
【発明の概要】
【発明が解決しようとする課題】
【０００２】圧力の高い水道ポンプをそなえて煙突の高方に、はこび煙突の中に引き入れ小さい穴を数カ所あけて、煙突内に噴霧する事によって、煙の中の煙を洗い流す事によって、空気を綺麗にする事が出来る。
【課題を解決するための手段】
【０００３】水で洗った噴霧された水は、下にすえつけたステンレース板で、受け止めて穴をあけた。煙突から下に向けてとり付た。トヨを通って下にすえ付けた。
沈殿装置を通して処分する。
【図面の簡単な説明】
【０００４】
【図１】大きな煙突は、下から圧力の強い水道ポンプによって水を上にあげて細い鉄管につけた小さい穴より噴霧する事によって煙を洗う事が出来る。ポンプのせんは、煙突の下に取り付る。    ・・・・・
【図２】図２の半月板は、斜めに煙突内にぶら下げて壁におしつけて、上からおちる水滴を受け止めて溝を伝わって外え流す。
【図３】細い煙突に帽子の様にかぶせる。
【手続補正３】
【補正対象書類名】特許請求の範囲
【補正対象項目名】全文
【補正方法】変更
【補正の内容】
【特許請求の範囲】
【請求項１】
煙から、煙を洗い流す事。
今時は煙突を使うような事は、ありませんから、こんな物をと思うかもしれませんが。これが出来れば塵の焼却炉なども身近な所に作れる様になれば、遠え運ぶ運賃とか、ガソリン代の節約にもなるようになるかもしれません。この間テレビで見た中国などの煙は大変な物でした。こんな所に使えるようになれば幸せです。
【手続補正４】
【補正対象書類名】図面
【補正対象項目名】全図
【補正方法】変更
【補正の内容】
【図１】
2010190560.tif 000006
【図２】
2010190560.tif 000007
【図３】
2010190560.tif 000008
(57)【要約】【課題】・上階又は、上部の貯湯タンクに低．中圧で少量の蒸気を供給して温水を作り、給湯の熱源とする。更に蒸気の高温．高湿排気を暖房熱源に併用することを可能とした熱交換器であること。【解決手段】・開放式貯湯タンクを上部または、上階に設け、タンクと一体化した蒸気導入延長管に液体を満水にして、蒸気入口より蒸気を導入し、高温の気体から液体へ加熱．熱交換を行う。これにより作られた温水を給湯に利用する。更に、蒸気の高温．高湿排気を居室等へ供給することにより、暖房．加湿を行い給湯と併用する直接蒸気加熱式熱交換器である。【選択図】図６
2010190558.tif 000002
【特許請求の範囲】
【請求項１】
角及び円胴形の貯湯タンクで、液体を一定量保有するタンクの下部へ直接蒸気を導入し、蒸気の高温を液体へ熱交換する。これにより作られる温水を熱源として供給する。
【請求項２】
請求項１記載の熱交換器であって、直接導入した蒸気は液体へ熱交換した後、タンク上部に高温．高湿な気体として蓄積される。この排気を熱源として供給する併用可能な直接蒸気加熱式交換器である。
【請求項３】
請求項１．２記載の熱交換器であって、タンクと蒸気導入口との上下落差があっても蒸気は気体のため液体を上昇し、タンクへと導く。したがって、蒸気圧は、落差（静水頭）以上の圧力とする。
【発明の詳細な説明】
【発明の詳細な説明】
【技術分野】
【０００１】・本発明は、液体に蒸気を導入し加熱．熱交換することにより、温水を作り更に、高温排気を温風として併用する直接蒸気加熱式熱交換器に関するものである。
【背景技術】
【０００２】・温浴施設等の浴槽内に直接蒸気を供給し、加熱するものがある。
【発明の概要】
【発明が解決しようとする課題】
【０００３】しかしながらこの加熱方式では、大容量の液体を効率良く加熱するために、高圧蒸気を使用し、蒸気量も多くなり高温のため、安全性に問題が生じる。
【課題を解決するための手段】
【０００４】少量の貯湯タンクなので、低．中圧蒸気及び少容量の蒸気でも短時間で熱交換を行い、一定量で適温水を供給することが可能である。更に、安全性においても解決できる。
【発明の効果】
【０００５】本発明は、貯湯タンクの下部より直接蒸気を導入し、高温の気体から液体へ高効率な熱交換を行うものであり、給湯等の熱源として供給する開放式熱交換器である。【０００６】上記記載の熱交換器であって、貯湯タンク内で熱交換された高温．高湿の排気をタンク上部より排出し、暖房等の熱源として供給する。【０００７】上記記載の熱交換器であって、タンク下部に設けた配管を延長し、上下落差がある状態でも蒸気は液体を上昇するため、タンクへ導き効率の良い熱交換が可能である。
【図面の簡単な説明】
【０００８】
【図１】本体発明の概略図
【図２】同上Ａ〜Ａ，平面図−１
【図３】同上Ａ〜Ａ，平面図−２
【図４】同上Ｂ〜Ｂ，断面図
【図５】Ｃ〜Ｃ，断面図
【図６】選択図
【図７】実施図
【実施例】
【０００９】本体（１）及び各部品の材質はステンレス鋼材で、角及び円胴形の貯湯タンクである。タンク天端は、点検可能な点検蓋（２）とし、本体（１）の下部には、蒸気導入延長管（３）を設け、蒸気入口（９）より蒸気を直接導入する。液体内を通過する蒸気の距離を長く取ることにより、高効率の熱交換を行うものである。更に、タンク内部には、蒸気拡散防止カバー（４）を設けることにより、蒸気の拡散を防ぐ構造である。【００１０】熱交換により作られた温水は、温度検知器（１２）により、温度を感知し、蒸気管の電磁弁（１３）の開閉制御により、一定温度の温水を温水出口（８）より、ミキシングバルブ（１５）へ供給して、給湯を行う。タンク水位は水位検知保護カバー（５）の内部に検知器を設け、給水電動弁（１４）の開閉制御により、一定量を貯えるシステムである。【００１１】本体（１）の上部に蓄積した高温．高湿の排気を蒸気排気口（６）より、空調換気扇（１８）の外気管（１９）または、排気管（２０）へ接続し、温度調節器（２４）と、湿度調節器（２５）の併用で、それぞれの電動ダンパー（２３）を開閉し、温度及び湿度の自動制御を行うものである。【００１２】［００１１］記載のシステムであって用途により、蒸気排気口（６）より直接温風を供給する。
【符号の説明】
【００１３】  １    直接蒸気加熱式熱交換器
２    点検蓋
３    蒸気導入延長管
４    蒸気拡散防止カバー
５    水位検知保護カバー
６    蒸気排気口
７    給水口
８    温水出口
９    蒸気入口
１０    オバーブロー管
１１    ガイドベン
１２    温度検知器
１３    蒸気電磁弁
１４    給水電動弁
１５    ミキシングバルブ（混合栓）
１６    給湯管
１７    給水管
１８    空調換気扇（全熱交換器）
１９    外気管
２０    排気管
２１    給気管
２２    リタン管
２３    電動ダンパー
２４    温度調節器
２５    湿度調節器
【図１】
2010190558.tif 000003
【図２】
2010190558.tif 000004
【図３】
2010190558.tif 000005
【図４】
2010190558.tif 000006
【図５】
2010190558.tif 000007
【図６】
2010190558.tif 000008
【図７】
2010190558.tif 000009
(57)【要約】【課題】  カセットガスコンロを野外で使用するには、ガス燃焼など火気扱いの安全策を手軽に図る必要があった。【解決手段】  不燃材を升型の屏風に構成し、コンロ周りのフェンスとして提供する。【選択図】図１
2010190559.tif 000002
【特許請求の範囲】
【請求項１】
カセットガスコンロ用フェンスに於いて、筒状に設けたガード材の両口部に、脚付き升型の枠体一対を配設して相互に之を支え合わせ、筒管状に維持するよう設けたことを特徴とする、カセットガスコンロ用フェンス。
【請求項２】
上記第１項のフェンスに於いて、二方の開口部を網戸で塞ぐ手段により、防虫ケースを兼ねるように設けたことを特徴とする、カセットガスコンロ用フェンス。
【発明の詳細な説明】
【技術分野】
【０００１】  本発明は、カセットガスコンロの野外使用に係る安全策を図った補助用品である。
【背景技術】
【０００２】  レジャーや農・土木などの現場に多々手軽さを買われているカセットガスコンロであるが、不安定な外気対策と火気扱いの然るべき安全策が求められていた。
【発明の開示】
【発明が解決しようとする課題】
【０００３】  之によって本発明は、手軽さを図ったコンロ周りの補助用品として、不燃材を主体に設けた角筒状のフェンスを提供する。
【課題を解決するための手段】
【０００４】  上記フェンス案は、その胴部を柔軟な不燃材張りに設けると共に、双方の開口部を網戸で塞ぐ手段により防虫ケースを兼ねるようにした簡易タイプとする。
【発明の効果】
【０００５】  フェンスでの使用では、火気扱いの安全性と共にガス燃焼を安定させ、又、防虫ケース化では、携行食品の衛生手段を充足させる等野外活動の拠点用品とすることができる。
【発明を実施するための最良の形態】
【０００６】  フェンス主体（３）は、筒状に設けたガード材の両口部に、脚（１ａ）（２ａ）付き升型の枠体（１）（２）一対を配設して相互に之を支え合わせ筒状に維持するが、防虫ケース化にあっては、その開口部に網戸（４）（５）を仮設する手段で使用する。
【図面の簡単な説明】
【０００７】
【図１】フェンス組立て過程の斜視図。
【図２】図１中、Ａ線内の拡大透視図。
【図３】図１中、Ｂ線内の拡大透視図。
【図４】防虫ケース組立て過程の斜視図。
【符号の説明】
【０００８】１、２、  升型枠体。
１ａ、    枠体（１）の支持脚。
２ａ      枠体（２）の支持脚。
３、      フェンス主体。
４、５、  網戸。
【図１】
2010190559.tif 000003
【図２】
2010190559.tif 000004
【図３】
2010190559.tif 000005
【図４】
2010190559.tif 000006
(57)【要約】【課題】  人が屋根に上って除雪する作業は危険である。本発明は、屋根の除雪をするための装置を提供する。【解決手段】シートの裏面に棒を取り付ける。棒の両端に丸球を取り付ける。棒に引き手綱を取り付ける。シートの裏面にプラスチックを取り付ける。プラスチックの先端は、シート上部より出し、上向きにそり返す。切り込み口のある筒を設ける。切り込み口に毛ブラシを取り付ける。筒をシートの両側に設置する。シートの上部にロープを取り付ける。ロープを通す筒を設ける。筒はシートの上辺とシートの両脇にも設置する。ロープを通す筒に穴を開けてロープを通す。２本の筒の長さは、軒より下は、下方にゆるやかにカーブして切り込み口のある筒は地面まで伸ばして支えを設ける。ロープを通す筒は、地面の手前までの長さにする。筒からロープを引き出す。以上を特徴とする屋根の除雪装置。【選択図】図２
2010190026.tif 000002
【特許請求の範囲】
【請求項１】
シートの裏面に棒を取り付け、棒の両端に丸球を取り付け、棒に引き手綱を取り付け、シートの裏面にプラスチックを取り付け、プラスチックの先端は、シート上辺より突き出し、上向きにそり返し、切り込み口のある筒を設け、切り込み口に毛ブラシを取り付け、筒をシートの両側に設置し、シートの上辺にロープを取り付け、ロープを通す筒を設け、筒はシートの上辺とシートの両脇にも設置し、ロープを通す筒に穴を開けてロープを通し、２本の筒の長さは、軒より下は、下方にゆるやかにカーブして切り込み口のある筒は地面まで伸ばして支えを設け、ロープを通す筒は地面の手前までの長さにし、筒からロープを引き出すことを特徴とする屋根の除雪装置。
【発明の詳細な説明】
【技術分野】
【０００１】本発明は、屋根に積もった雪の除雪装置に関するものである。
【背景技術】
【０００２】従来、人が屋根に上りスコップによる除雪が行われている。（特許文献１参照）。
【特許文献１】  特開平１０−１２１６７１号公報
【発明の開示】
【発明が解決しようとする課題】
【０００３】人が屋根に上って除雪する作業は危険である。
本発明は、以上の問題点を解決するためになされたものである。
【解決するための手段】
【０００４】シートの裏面に棒を取り付ける。棒の両端に丸球を取り付ける。棒に引き手綱を取り付ける。シートの裏面にプラスチックを取り付ける。プラスチックの先端は、シート上部より出し、上向きにそり返す。
切り込み口のある筒を設ける。切り込み口に毛ブラシを取り付ける。筒をシートの両側に設置する。シートの上部にロープを取り付ける。ロープを通す筒を設ける。筒はシートの上辺とシートの両脇にも設置する。ロープを通す筒に穴を開けてロープを通す。２本の筒の長さは、軒より下は、下方にゆるやかにカーブして切り込み口のある筒は地面まで伸ばして支えを設ける。ロープを通す筒は、地面の手前までの長さにする。筒からロープを引き出す。以上を特徴とする屋根の除雪装置である。
【発明の効果】
【０００５】  構造が簡単で、全て手動による除雪装置。地上での除雪が出来る。
装置の重量は屋根にかかる負担を軽減するために軽量化した。
【発明を実施するための最良の形態】
【０００６】  以下、本発明の形態を説明する
（イ）シート（１）の裏面に丸棒（２）を取り付け、丸棒（２）の両端に丸球（３）を取り付ける。
（ロ）シート（１）の裏面の丸棒（２）に引き手綱（７）を取り付ける。
（ハ）シートの（１）裏面にシートを滑らすプラスチック（８）を張り付け、プラスチックの上先端はシート（１）の上辺より突出し上向きにそり返す。
（ニ）細長く切り込み口のある筒（４）を設け、切り込み口の上側に毛ブラシ（５）を設け、筒（４）をシートの両側に設置する。この筒（４）の中に丸球（３）を入れてシートを上下に移動する。
（ホ）筒（４）の左右上部を固定板（６）でつなぎ固定する。
（ヘ）シート（１）上辺両端にロープ（９）を取り付ける。
（ト）ロープ（９）を通すロープ用筒（１０）を用意する。
（チ）ロープ用筒（１０）をシート（１）の上端と両脇に設けて上と脇の筒をつなぐ。
（リ）シート（１）上端のロープ（９）をロープ用筒（１０）に通すための穴（１１）を開けて、穴（１１）からロープ（９）を取り込みロープ用筒（１０）に通す。ロープ（９）は、シート（１）の両脇に設けられたロープ用筒（１０）を通って筒（１０）の先端に引き出す。ロープ（９）の長さは、シート（１）の２．５倍にする。
（ヌ）筒（４）は、軒より下は下方にゆるやかにカーブして地面まで伸ばし、地面にささえ（１２）を設け、切り込み口は地面の手前で止める。
（ル）ロープ（９）を通すロープ用筒（１０）の長さは、筒（４）と並べて軒より下は下方にゆるやかにカーブして地面手前までの長さにする。
（ヲ）屋根の両側に、この装置を取り付けて、尾根で前後をしっかり留める。
本発明は以上のような構造である。
本発明を使用するときは、シート（１）に積もった雪を、シート裏面の引き手綱（７）を掴み、シート（１）を下方に曳いて雪を落下させる。シートの下端の部分は筒（４）の切り込み口の止まり（１３）で止まる。除雪されたシート（１）は、ロープ用筒（１０）の外に出たロープ（９）を曳いて、シート（１）を元の位置まで引き上げる。
【図面の簡単な説明】
【０００７】
【図１】  本発明の斜視図
【図２】  本発明のシート裏面を示す斜視図
【図３】  本発明の使用状態を屋根に載せた状態を示す斜視図
【符号の説明】
【０００８】（１）シート、（２）丸棒、（３）丸球、（４）筒、（５）毛ブラシ、（６）固定板、（７）引き手綱、（８）シートを滑らすプラスチック、（９）ロープ、（１０）ロープ用筒、（１１）穴、（１２）ささえ、（１３）切込み口止まり
【図１】
2010190026.tif 000003
【図２】
2010190026.tif 000004
【図３】
2010190026.tif 000005
(57)【要約】【課題】本発明は、土嚢に充填する土の入手困難な場所でも、土嚢を簡単に提供する手段である。【解決手段】堤防決壊のおそれのある場所若しくは決壊場所の嵩上げ及び修復に使用する土嚢の作成方法であって、生コン車の生コン放出筒口に細長い筒状のシートを前記放出口の表面を覆うように差込、かつ、前記筒状のシートの先端を生コン放出筒口に沿って丸めるように設置することで引き出し可能とし、筒状シート内に生コンを充填し、両端を縛り所定の長さの生コン入り土嚢とする土嚢作成方法である。【選択図】図1
2010190004.tif 000002
【特許請求の範囲】
【請求項１】
堤防決壊のおそれのある場所若しくは決壊場所の嵩上げ及び修復に使用する土嚢の作成方法であって、生コン車の生コン放出筒口に細長い筒状のシートを前記放出口の表面を覆うように差込、かつ、前記筒状のシートの先端を生コン放出筒口に沿って丸めるように設置することで引き出し可能とし、筒状シート内に生コンを充填し、両端を縛り所定の長さの生コン入り土嚢とする土嚢作成方法。
【発明の詳細な説明】
【技術分野】
【０００１】
本発明は、洪水時の堤防などの決壊防止に使用する土嚢を作成する技術である。
【背景技術】
【０００２】
洪水による河川・湖沼などの堤防の決壊防止方法は、水位が上昇した際に土嚢を重ねて堤防を嵩上げして決壊を防止したり、決壊した堤防の決壊口を修復したりしている。しかし、土嚢は、重量があって、しかも体積がかさばるため、遠隔の地で土嚢製品として作成し、作業現場に運ぼうとすると、車両などを用いなければならず、また、運搬、積み下ろしになどに労力を要するので、運搬には不向きな資材である。そこで、従来土嚢は、災害が発生した緊急時に必要な土木資材であるものの、災害発生時に、発生現場付近で、必要に応じて、袋に土砂を充填して手製で作成される。しかしながら都会地においては、土嚢の作成に必要な土砂の入手も侭ならないのが現状である。
そのため、例えば特開2001-081752に開示されているような堤防・土手上に吸水性有機高分子樹脂を充填した土嚢を積み上げて河川水が越流しないようにする方法などが開示されている。土砂が入手できない場合においても、必要な土嚢が連続的に入手できる方法が求められている。
【先行技術文献】
【特許文献】
【０００３】
【特許文献１】特開2001-081752
【特許文献２】特開2006-161364
【発明の概要】
【発明が解決しようとする課題】
【０００４】
本発明は、土嚢に充填する土の入手困難な場所でも、土嚢を簡単に提供する手段である。
【課題を解決するための手段】
【０００５】
本発明は、堤防決壊のおそれのある場所若しくは決壊場所の嵩上げ及び修復に使用する土嚢の作成方法であって、レディーミクストコンクリート（以下生コンと称する。）車の生コン放出筒口に細長い筒状のシートを前記放出口の表面を覆うように差込、かつ、前記筒状のシートの先端を生コン放出筒口に沿って丸めるように設置することで引き出し可能とし、筒状シート内に生コンを充填し、両端を縛り所定の長さの生コン入り土嚢とする。充填する土砂の入手困難な場所でも土嚢が作成できるよう、生コンを土嚢に充填する土砂の代用とし、且つ、生コン入り土嚢が連続的に作成できるようにした。
【発明の効果】
【０００６】
本発明は、生コンを土砂の代わりとするため、土砂の入手困難な場所においても土嚢が作成できる。筒状のシートを引き出し可能となるよう生コンの放出筒に丸めて設置したため連続的に土嚢の作成ができる。
【図面の簡単な説明】
【０００７】
【図１】は、本発明である生コンを充填した土嚢の作成方法を示す概念図である。
【発明を実施するための形態】
【０００８】
以下本発明を、図により詳細に説明する。
図に示す通り、本生コン入り土嚢は、生コン車から放出される生コンを筒状のシートに充填し、その両端を緊縮し所定の大きさ長さに切り離し、生コン入り土嚢とするものである。生コン入り土嚢は、堤防決壊のおそれのある場所、決壊場所に運び、従来の土嚢と同様、嵩上げ、修復用に使用できる。
【０００９】
生コンを充填する筒状のシートは、例えば、図に示すように、その一端を筒の外側で、外側から内側に丸めることで収納する。従いその他端を引っ張ることで筒状のシートは連続的に引き出される。
【００１０】
筒状のシートの材質は、延び縮み可能な繊維若しくは編み方で作成したものが一回の収納量での土嚢作成個数が増えるため好ましい。
【００１１】
土嚢の中に充填する生コンは、砂と砂利の混合物であってコンクリートを含まないものであってもなんら差し支えがない。
【産業上の利用可能性】
【００１２】
土砂が入手できない場所でも、必要とする土嚢が作成できる。
【符号の説明】
【００１３】
１  ミキサー車
２  生コン放出用ホース
３  筒状シート
４  土嚢
５  筒状シート収納部
【図１】
2010190004.tif 000003
(57)【要約】【課題】従来の圧縮機は複雑な冷凍機油セパレ−タを用いて、高い材料コストとなっていた。本発明の圧縮機は吐出管から冷凍サイクル中へ排出する圧縮冷媒中の冷凍機油量を、安価でかつ確実に低減する密閉型圧縮機を提供することを目的とする。【解決手段】密閉型圧縮機の密閉容器内周部に流速方向に接触面積が２倍以上となる凸凹を設け、電動機固定子外周の隙間を通過してきた、冷凍機油を密閉容器内周の凸凹に付着させ、冷凍機油を圧縮冷媒から分離し、冷凍機油吐出量の低い密閉式圧縮機を提供できる。【選択図】図１
2010190045.tif 000002
【特許請求の範囲】
【請求項１】
電動機部によって駆動される圧縮機構部を密閉容器内部に設置し、圧縮機構部は前記密閉容器内に冷媒と共に封入された冷凍機油により潤滑され、前記圧縮機構部により圧縮された冷媒を前記密閉容器内に吐出した後、電動機固定子外周の隙間を通過し、前記密閉容器の上シェルに位置する吐出管から圧縮機外部に吐出する密閉型圧縮機であって、前記密閉容器の内周部に流速方向に接触面積が２倍以上の凹凸を設け、電動機固定子外周の隙間を通過してきた、冷凍機油を凹凸に付着させることで、冷凍機油が前記吐出管より吐出することを抑制することを特徴とする密閉型圧縮機。
【発明の詳細な説明】
【技術分野】
【０００１】
本発明は、冷凍機、空調機、乾燥機などに使用される密閉型圧縮機の冷凍機油吐出量低減に関するものである。
【背景技術】
【０００２】
従来、この種の密閉型圧縮機としては、密閉容器に圧縮機構部と電動機部を有し、密閉容器内には圧縮機構部の摺動部を潤滑するための冷凍機油が封入される。冷凍機油は電動機部の回転子に直結されたクランク軸の回転により軸受部に給油された後、再び密閉容器内に戻るが、一部は噴霧状となり圧縮冷媒とともに主として電動機部固定子外周の隙間を通り、吐出管より冷凍サイクルに吐出される。
【０００３】
上記、従来の構成において噴霧状の冷凍機油が、前記電動機部の固定子外周の隙間を通り、前記吐出管に直接送出されるため、冷凍機油吐出量が多くなる可能性があった。
【０００４】
この課題を解決する従来の技術として、図２に示すように吐出管内に冷凍機油分離体と密閉容器内に冷凍機油を戻す経路を有する冷凍機油セパレ−タを設けた技術などが知られている（例えば、特許文献１参照）。
【０００５】
図２は、特許文献１に記載された従来の密閉型圧縮機を示すものである。図２に示すように、密閉容器１と電動機部固定子２ａ、電動機部回転子２ｂ、冷凍機油セパレ−タ９、吐出管６から構成されている。
【特許文献１】特開平５−１９５９７５号公報
【発明の開示】
【発明が解決しようとする課題】
【０００６】
しかしながら、前記従来の構成では冷凍機油分離体と冷凍機油を戻す経路を有する冷凍機油セパレ−タは複雑であり、かつ材料コストも高くなるという課題があった。
【０００７】
本発明の目的は、圧縮機構部で圧縮されて吐出管から吐出される圧縮冷媒に含まれる冷凍機油の吐出量を、安価でかつ確実に低減する密閉型圧縮機を提供するものである。
【課題を解決するための手段】
【０００８】
前記従来の課題を解決するために、密閉容器の内周部に流速方向に凹凸を設け、２倍以上に接触面積を増やすことで、冷凍機油を圧縮冷媒から分離し、冷凍機油吐出量の低い密閉式圧縮機を構成できる。
【発明の効果】
【０００９】
本発明の密閉型圧縮機は、冷凍機油吐出量を低減することができる。
【発明を実施するための最良の形態】
【００１０】
第１の発明は、電動機部によって駆動される圧縮機構部を密閉容器内部に設置し、圧縮機構部は前記密閉容器内に冷媒と共に封入された冷凍機油により潤滑され、前記圧縮機構部により圧縮された冷媒を前記密閉容器内に吐出した後、電動機固定子外周の隙間を通過し、前記密閉容器の上シェルに位置する吐出管から圧縮機外部に吐出する密閉型圧縮機であって、前記密閉容器の内周部に流速方向に凹凸を設け、２倍以上に接触面積を増やすことで、電動機固定子外周の隙間を通過してきた、冷凍機油を密閉容器内周の凹凸部に付着させることで冷凍機油が前記吐出管より吐出することを抑制できる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における密閉型圧縮機の断面図である。
【００１３】
図１において、密閉容器１の内周部分に流速方向に接触面積が２倍以上の凹凸３を設け、電動機固定子２の外周の隙間を通過してきた、圧縮冷媒５中の冷凍機油４を密閉容器の内周の凹凸３に付着させ、冷凍機油４を圧縮冷媒５から分離し、冷凍機油吐出量の低い密閉式圧縮機を提供できる。
【産業上の利用可能性】
【００１４】
以上のように、本発明にかかる密閉型圧縮機は、冷凍機油吐出量を低く出来るためで、ヒートポンプを用いた用途に適用できる。
【図面の簡単な説明】
【００１５】
【図１】本発明の実施の形態１における密閉型圧縮機の断面図
【図２】従来の圧縮機構部の要部断面図
【符号の説明】
【００１６】
１  密閉容器
２  電動機部
２ａ  電動機部固定子
２ｂ  電動機部回転子
３  凹凸
４  冷凍機油
５  圧縮冷媒
６  吐出管
７  圧縮機構部
８  上シェル
９  冷凍機油セパレータ  
１０  クランク軸
１１  軸受部
【図１】
2010190045.tif 000003
【図２】
2010190045.tif 000004